(57)【要約】【課題】光学性能を低下させることなく気密性を向上でき、簡単に組み立てることができること。【解決手段】撮像装置１００は、開口部１０１ａを備えた外装部材１０１と、レンズ１０３を収容し、外装部材１０１の開口部１０１ａに像側から取り付けられるレンズ鏡筒１０２と、外装部材１０１の物体側から取り付けられ、レンズ鏡筒１０２と係合する押さえ部材１０４と、外装部材１０１の物体側から取り付けられ、押さえ部材１０４による押圧力を受け、外装部材１０１とレンズ鏡筒１０２との間を気密するシール部材１０５と、を備える。【選択図】図１
2012118405.tif 000002
【特許請求の範囲】
【請求項１】
開口部を備えた外装部材と、
レンズを収容し、前記外装部材の前記開口部に像側から取り付けられるレンズ鏡筒と、
前記外装部材の物体側から取り付けられ、前記レンズ鏡筒と係合する押さえ部材と、
前記外装部材の物体側から取り付けられ、前記押さえ部材による押圧力を受け、前記外装部材と前記レンズ鏡筒との間を気密するシール部材と、
を備えたことを特徴とする撮像装置。
【請求項２】
前記レンズ鏡筒は、第１面部を有し、前記外装部材の像側から挿入され、
前記外装部材は、前記第１面部と略直交する面上に配置される第２面部を有し、
前記押さえ部材は、前記シール部材を前記外装部材の前記第２面部と、前記レンズ鏡筒の第１面部との２方向のいずれに対しても押圧力を発生させる傾斜面を有することを特徴とする請求項１に記載の撮像装置。
【請求項３】
前記レンズ鏡筒は、前記第１面部と略直交する方向に形成された段部を有し、
前記押さえ部材により、前記シール部材を押圧して前記レンズ鏡筒の段部に前記外装部材の第２面部を圧接させることを特徴とする請求項１または２に記載の撮像装置。
【請求項４】
前記レンズ鏡筒は、所定の位置に前記押さえ部材の係合を制限する制限部を有し、
前記レンズ鏡筒の前記制限部により、前記押さえ部材が前記レンズ鏡筒との係合を制限されることにより、前記シール部材が受ける前記押さえ部材による押圧力を規定することを特徴とする請求項１〜３のいずれか一つに記載の撮像装置。
【請求項５】
前記押さえ部材は、前記レンズ鏡筒の前記制限部により前記押さえ部材が前記レンズ鏡筒との係合を制限されるときに前記シール部材の外径および設定した変形量の容積を有する収容部を有することを特徴とする請求項４に記載の撮像装置。
【請求項６】
前記シール部材および押さえ部材は、前記外装部材と前記レンズ鏡筒との間に形成される空間形状に対応して円環状に形成され、
前記レンズ鏡筒には、外周にネジ溝が形成されており、
前記押さえ部材は、
前記外装部材に形成された係合部に係合し、回転止めされて前記シール部材を押圧する第１の押さえ部材と、
内周に前記レンズ鏡筒のネジ溝に螺合するネジ溝が形成され、前記第１の押さえ部材に擦接して前記シール部材を前記第２面部に押しつける回転自在な第２の押さえ部材と、
からなることを特徴とする請求項２〜５のいずれか一つに記載の撮像装置。
【発明の詳細な説明】
【技術分野】
【０００１】
この発明は、外装部材にレンズ鏡筒が取り付けられてなる撮像装置に関し、特に、外装部材とレンズ鏡筒との間を気密して防水、防塵構造とした撮像装置に関する。
【背景技術】
【０００２】
図７は、従来の撮像装置を示す断面図である。撮像装置は、レンズと撮像素子とをレンズ鏡筒に収容し、外装部材に取り付けてなる。この撮像装置１０００を屋外使用する場合、防水、防塵のために、レンズ鏡筒１００２と外装部材１００１との間にシール材としてＯリング１００４を設けて封止をおこなうようになっている。そして、レンズ鏡筒１００２にフランジ部１００２ａを設け、フランジ部１００２ａを外装部材１００１のボス１００１ｂにネジ１００３を用いて締結して封止をおこなうようになっている（たとえば、下記特許文献１，２参照。）。
【０００３】
上記の構成によれば、Ｏリング１００４を用い、レンズ鏡筒１００２と外装部材１００１の２つの平面でＯリング１００４を押圧することによる単純な構造により、撮像装置１０００内部の気密をとることができる。なお、レンズ鏡筒１００２の前面（物体側）のレンズ１００５は、レンズ鏡筒１００２に設けた凹部１００２ｂにＯリング１００６を設けて気密するように構成されている。
【先行技術文献】
【特許文献】
【０００４】
【特許文献１】特開２００２−９０６０３号公報
【特許文献２】特開２００５−１７９５５号公報
【発明の概要】
【発明が解決しようとする課題】
【０００５】
しかしながら、上記封止構造では、ボス１００１ｂの位置がレンズ鏡筒１００２の中心位置から離れた外周側の位置にしか設けることができない。このため、外装部材１００１とレンズ鏡筒１００２との間でＯリング１００４を押圧して気密をとろうとしても、Ｏリング１００４の反力により、レンズ鏡筒１００２に歪が生じやすくなる。レンズ鏡筒１００２に歪みが生ずると、このレンズ鏡筒１００２に収容された複数のレンズの位置関係が変化して撮像装置の光学性能を低下させてしまうことがある。
【０００６】
また、上記特許文献の封止構造では、ネジ１００３にて締結した締め付け力が押圧力として締結部からレンズ鏡筒１００２を介して外装部材１００１とレンズ鏡筒１００２との間のＯリング１００４まで伝達されるまでの間に複数の部材を介在して構成されているため、その部材ごとのばらつきが蓄積されることでＯリング１００４に所定の押圧力を与えることが難しい。
【０００７】
この発明は、上述した従来技術による問題点を解消するため、光学性能を低下させることなく気密性を向上でき、簡単に組み立てることができる撮像装置を提供することを目的とする。
【課題を解決するための手段】
【０００８】
上述した課題を解決し、目的を達成するため、この発明にかかる撮像装置は、開口部を備えた外装部材と、レンズを収容し、前記外装部材の前記開口部に像側から取り付けられるレンズ鏡筒と、前記外装部材の物体側から取り付けられ、前記レンズ鏡筒と係合する押さえ部材と、前記外装部材の物体側から取り付けられ、前記押さえ部材による押圧力を受け、前記外装部材と前記レンズ鏡筒との間を気密するシール部材と、を備えたことを特徴とする。
【０００９】
また、前記レンズ鏡筒は、第１面部を有し、前記外装部材の像側から挿入され、前記外装部材は、前記第１面部と略直交する面上に配置される第２面部を有し、前記押さえ部材は、前記シール部材を前記外装部材の前記第２面部と、前記レンズ鏡筒の第１面部との２方向のいずれに対しても押圧力を発生させる傾斜面を有することを特徴とする。
【００１０】
また、前記レンズ鏡筒は、前記第１面部と略直交する方向に形成された段部を有し、前記押さえ部材により、前記シール部材を押圧して前記レンズ鏡筒の段部に前記外装部材の第２面部を圧接させることを特徴とする。
【００１１】
また、前記レンズ鏡筒は、所定の位置に前記押さえ部材の係合を制限する制限部を有し、前記レンズ鏡筒の前記制限部により、前記押さえ部材が前記レンズ鏡筒との係合を制限されることにより、前記シール部材が受ける前記押さえ部材による押圧力を規定することを特徴とする。
【００１２】
また、前記押さえ部材は、前記レンズ鏡筒の前記制限部により前記押さえ部材が前記レンズ鏡筒との係合を制限されるときに前記シール部材の外径および設定した変形量の容積を有する収容部を有することを特徴とする。
【００１３】
また、前記シール部材および押さえ部材は、前記外装部材と前記レンズ鏡筒との間に形成される空間形状に対応して円環状に形成され、前記レンズ鏡筒には、外周にネジ溝が形成されており、前記押さえ部材は、前記外装部材に形成された係合部に係合し、回転止めされて前記シール部材を押圧する第１の押さえ部材と、内周に前記レンズ鏡筒のネジ溝に螺合するネジ溝が形成され、前記第１の押さえ部材に擦接して前記シール部材を前記第２面部に押しつける回転自在な第２の押さえ部材と、からなることを特徴とする。
【００１４】
上記構成によれば、外装部材に像側からレンズ鏡筒が取り付けられ、物体側から押さえ部材が取り付けられ、押さえ部材によりレンズ鏡筒を外装部材に取り付けることができる。この際、シール部材により外装部材とレンズ鏡筒とを気密することができる。押さえ部材およびシール部材は、外装部材の前面側から取り付けることができ、撮像装置の組み立てを簡単におこなうことができる。
【００１５】
さらに、押さえ部材には、シール部材の外径と変形量に基づき設定した容積の空間を形成しているため、シール部材を必要以上に変形させることがなく、予め設定した変形量で気密することができる。また、押さえ部材に傾斜面を設けることにより、シール部材をレンズ鏡筒の第１面部と、外装部材の第２面部の異なる２方向いずれに対しても押圧力を発生できるようになり、気密性をより向上できる。
【００１６】
また、レンズ鏡筒と、押さえ部材とにそれぞれネジ溝を形成し互いに螺合することにより、押さえ部材を回転させてレンズ鏡筒を外装部材に取り付けることができるようになる。押さえ部材を回転止めしてシール部材を面で押圧する第１の押さえ部材と、レンズ鏡筒に螺合するネジ溝が形成された第２の押さえ部材で構成することにより、第２の押さえ部材を回転させてレンズ鏡筒を外装部材に取り付けることができ、この際、第１の押さえ部材は回転しないから、シール部材を面で押圧でき、シール部材に捻りの力が加わらず、シール部材を用いて良好に気密できる。
【発明の効果】
【００１７】
本発明にかかる撮像装置によれば、簡単な構造で外装部材と、この外装部材に取り付けられるレンズ鏡筒との間の気密をとることができ、組み立てを容易におこなうことができ、防塵、防水性能を向上できるという効果を奏する。
【図面の簡単な説明】
【００１８】
【図１】この発明の撮像装置の実施の形態１を示す分解側断面図である。
【図２】この発明の撮像装置を示す分解斜視図である。
【図３】第１の押さえ部材を裏面から見た斜視図である。
【図４】撮像装置の組み立て状態を示す側断面図である。
【図５】外装部材とレンズ鏡筒の気密構造部分を示す拡大断面図である。
【図６】この発明の撮像装置の実施の形態２による気密構造を示す拡大断面図である。
【図７】従来の撮像装置を示す断面図である。
【発明を実施するための形態】
【００１９】
（実施の形態１）
以下に添付図面を参照して、この発明にかかる撮像装置の好適な実施の形態を詳細に説明する。図１は、この発明の撮像装置を示す分解側断面図、図２は、この発明の撮像装置を示す分解斜視図である。撮像装置１００は、外装部材１０１と、レンズ鏡筒１０２と、レンズ１０３と、円環状に形成され開口部を有する押さえ部材１０４と、円環状のシール部材１０５とを備えている。
【００２０】
外装部材１０１は、撮像装置１００の外筐を構成しており、一部にレンズ鏡筒１０２が取り付けられる円形状の開口部１０１ａが開口形成されている。レンズ鏡筒１０２は、光軸方向に複数のレンズ１０３（１０３ａ〜１０３ｄ）を収容する。複数のレンズ１０３ａ〜１０３ｄは、レンズ鏡筒１０２内部に設けられた段差部１１６（１１６ａ〜１１６ｄ）にそれぞれ嵌る形で固定される。図１において、左側が物体側、右側が像側である。
【００２１】
外装部材１０１の開口部１０１ａには、開口端部から所定長さ内部の位置に鍔部（第２面部）１１１が形成されている。レンズ鏡筒１０２の外周には鍔部１１１に係合する段部１１２が形成されている。図１に示すように、レンズ鏡筒１０２は、外装部材１０１の内部側（図中右方向）から取り付けられ、レンズ鏡筒１０２の段部１１２は、外装部材１０１の鍔部１１１の背面１１１ａに係合して位置決めされ、図示しないネジにて、レンズ鏡筒１０２と外装部材１０１とが固定される。
【００２２】
レンズ鏡筒１０２の最前面（物体側）の開口部１０２ａには、第１のレンズ１０３ａが取り付けられる。レンズ鏡筒１０２の鏡筒内部の前面には、第１のレンズ１０３ａの擦接合面１０３ａａの部分に円環状のシール部材１１３としてのＯリングが設けられる。このシール部材１１３は、レンズ鏡筒１０２に形成された収容溝１１４に収容されており、収容溝１１４の深さは、シール部材１０５の直径より短い。
【００２３】
そして、レンズ鏡筒１０２の開口部１０２ａに対し、第１のレンズ１０３ａは前面（物体側）から取り付けられ、開口部１０２ａの内周縁１０２ａａをかしめることにより、第１のレンズ１０３ａがレンズ鏡筒１０２に固定保持される。この際、第１のレンズ１０３ａの擦接合面１０３ａａとレンズ鏡筒１０２との間でのシール部材１０５が所定量押しつぶされることにより、第１のレンズ１０３ａとレンズ鏡筒１０２との間の気密をとることができる。
【００２４】
レンズ鏡筒１０２の内部には、前面（物体側）の第１のレンズ１０３ａに対応した位置の開口径が最も大きく、以降、２番目のレンズ１０３ｂ〜４番目のレンズ１０３ｄにかけて次第に開口径が小さくなっており、それぞれのレンズに対応した段差部１１６ａ〜１１６ｄが形成されている。これにより、レンズ鏡筒１０２に対するレンズ１０３の組み込みは、最も像側の４番目レンズ１０３ｄから順に取り付けていき、最後に第１のレンズ１０３ａを取り付ければ良く、組み立てを簡単におこなうことができる。
【００２５】
外装部材１０１の開口部１０１ａの外周縁には、レンズ鏡筒１０２との間に押さえ部材１０４の嵌合部１０１ａａが設けられている。この嵌合部１０１ａａに押さえ部材１０４およびシール部材１０５が取り付けられ、外装部材１０１とレンズ鏡筒１０２との間の気密をとる。
【００２６】
嵌合部１０１ａａは、外装部材１０１の前面（物体側）に開口されており、外装部材１０１の前面側からシール部材１０５、第１の押さえ部材１２４、第２の押さえ部材１３４の順で外装部材１０１の前面側から取り付けられる。シール部材１０５は、レンズ鏡筒１０２の外周径程度の内径を有する。このシール部材１０５は、レンズ鏡筒１０２に形成された収容溝１１４に収容される。
【００２７】
図３は、第１の押さえ部材を裏面から見た斜視図である。図１，図２とともに第１の押さえ部材を説明すると、この第１の押さえ部材１２４は、レンズ鏡筒１０２の外周径に対応する内径を有し、シール部材１０５側には、所定角度（図示の例では４５度）の傾斜面１２４ａを有している。また、第１の押さえ部材１２４の外周の一部（図中上部）には、凹溝１２４ｂが形成されている。この凹溝１２４ｂは、外装部材１０１の鍔部１１１の前方に突出形成された凸部１１１ｃに係合自在である。
【００２８】
図１，図２に戻ると、外装部材１０１の開口部１０１ａには、第１の押さえ部材１２４の外方から、さらに、第２の押さえ部材１３４が取り付けられる。第２の押さえ部材１３４は、内周にネジ溝１３４ａが形成されており、このネジ溝１３４ａは、レンズ鏡筒１０２の外周に形成されたネジ溝１０２ｂに螺合する。
【００２９】
つぎに、撮像装置１００の組み立てについて説明する。以下の説明では、上述した外装部材１０１とレンズ鏡筒１０２との間の気密封止について主に説明する。図１に示した、外装部材１０１に背面側からレンズ鏡筒１０２を取り付けた状態において、外装部材１０１の前面（物体側）には、レンズ鏡筒１０２と外装部材１０１との間に嵌合部１０１ａａが開口されている。この嵌合部１０１ａａに、上述したシール部材１０５と第１の押さえ部材１２４と、第２の押さえ部材１３４が取り付けられる。
【００３０】
図４は、撮像装置の組み立て状態を示す側断面図である。はじめに、外装部材１０１の前面側から嵌合部１０１ａａの部分にシール部材１０５が挿入される。この後、第１の押さえ部材１２４と、第２の押さえ部材１３４がそれぞれ取り付けられる。シール部材１０５は、レンズ鏡筒１０２の外周径程度の内径を有し、レンズ鏡筒１０２の外周、および外装部材１０１の鍔部１１１にそれぞれ接する。
【００３１】
つぎに、外装部材１０１の前面側から嵌合部１０１ａａの部分に第１の押さえ部材１２４を取り付ける。第１の押さえ部材１２４の凹溝１２４ｂは、外装部材１０１の鍔部１１１の前方に突出形成された凸部１１１ｃに係合自在であり、凹溝１２４ｂが凸部１１１ｃに係合することにより、第１の押さえ部材１２４を回り止めし、シール部材１０５を鍔部１１１側に面状に押しつける力だけを発生させる。
【００３２】
つぎに、外装部材１０１の前面側から嵌合部１０１ａａの部分に第２の押さえ部材１３４を取り付ける。第２の押さえ部材１３４は、ネジ溝１３４ａ，１０２ｂを螺合させて回転させながらレンズ鏡筒１０２に取り付けられる。この際、第２の押さえ部材１３４の前面２箇所（上下位置）に設けられた係合溝１３４ｂに治具を係合させ、治具を回転させることにより、第２の押さえ部材１３４のネジ溝１３４ａがレンズ鏡筒１０２のネジ溝１０２ｂに螺合する。
【００３３】
この第２の押さえ部材１３４は、ねじ込み回転させながら、外装部材１０１に取り付けられるが、このねじ込みにより第１の押さえ部材１２４を介してシール部材１０５を奥方に押し込む。この際、第２の押さえ部材１３４の背面１３４ｃが第１の押さえ部材１２４の前面１２４ｃを擦りながら回転する。そして、第２の押さえ部材１３４による押さえ力が加わる第１の押さえ部材１２４は、凹溝１２４ｂが外装部材１０１の凸部１１１ｃに係合した状態でシール部材１０５を鍔部１１１側に押しつける。これにより、第１の押さえ部材１２４は、回転しないため、シール部材１０５に対して捻り等の回転する力を与えることがなく、シール部材１０５全体に対して均一な押しつけ力を発生させることができる。
【００３４】
第２の押さえ部材１３４に設けられたネジ溝１３４ａは、レンズ鏡筒１０２のネジ溝１０２ｂを介して、このレンズ鏡筒１０２を前面（物体側）に移動させる。レンズ鏡筒１０２は、段部１１２が外装部材１０１の鍔部１１１の背面１１１ａに圧接する位置まで前面側に移動し、位置決めされる。
【００３５】
図５は、外装部材とレンズ鏡筒の気密構造部分を示す拡大断面図である。第１の押さえ部材１２４が外装部材１０１に取り付けられたとき、この傾斜面１２４ａと、外装部材１０１の鍔部１１１の前面１１１ｂと、レンズ鏡筒１０２の外周部（第１面部）１０２ｃとの間に生じる収容空間Ａにシール部材１０５が位置する。レンズ鏡筒１０２は、ネジ溝１０２ｂの端部に第２の押さえ部材１３４の係合を制限する所定量だけ大径に形成された制限部１０２ｄを有する。この制限部１０２ｄにより、第２の押さえ部材１３４は、レンズ鏡筒１０２との係合を制限されることにより、シール部材１０５が受ける第１の押さえ部材１２４による押圧力を規定する。上記のように、レンズ鏡筒１０２の外周部（第１面部）１０２ｃと、外装部材１０１の鍔部（第２面部）１１１とは略直交する面とされている。
【００３６】
そして、レンズの光軸方向において、レンズ鏡筒１０２の段部１１２で位置決めされた外装部材１０１の鍔部１１１と、レンズ鏡筒１０２の制限部１０２ｄで制限されて位置決めされた第１の押さえ部材１２４と、の間で規定された領域（空間Ａ）のなかに、シール部材１０５が介在することで、ばらつきなく所定の押圧力にてシール部材１０５を押圧することができる。この収容空間Ａは、シール部材１０５の外径より小さく設定しておき、収容空間Ａ内でシール部材１０５を予め定めた所定量だけ変形させる容積に設定しておく。これにより、シール部材１０５を用いて外装部材１０１と、レンズ鏡筒１０２との間を設計通りに気密できるようになる。
【００３７】
加えて、第１の押さえ部材１２４は、傾斜面１２４ａを有しており、傾斜面１２４ａにシール部材１０５が接して図中ａ方向の押圧力を受ける。これにより、シール部材１０５は、外装部材１０１の鍔部１１１（図中ａ１）の方向と、レンズ鏡筒１０２（図中ａ２）の外周部１０２ｃの方向、の異なる２方向いずれに対しても押圧力を発生させる。このように、シール部材１０５は、これら外装部材１０１の鍔部１１１側、およびレンズ鏡筒１０２の２点に接して、気密性をより向上できる。
【００３８】
そして、第２の押さえ部材１３４をねじ込んで第１の押さえ部材１２４、およびシール部材１０５を外装部材１０１の嵌合部１０１ａａ内部に押さえつけるが、第１の押さえ部材１２４には、シール部材１０５を収容する規定された収容空間Ａを有している。したがって、第２の押さえ部材１３４のねじ込みを続けても、第１の押さえ部材１２４の背面１２４ｄが外装部材１０１の鍔部１１１の前面１１１ｂに接した後は、第１の押さえ部材１２４は位置が変わらない。したがって、シール部材１０５は、第１の押さえ部材１２４の力を受けて所定量変形すると（図５に示す変形状態）、それ以上の変形のための押圧力を受けることがない。この状態で、第２の押さえ部材１３４を用いてレンズ鏡筒１０２を外装部材１０１に取り付け完了させることができ、この取り付け完了の状態で、第２の押さえ部材１３４の前面は、図４に示すように、外装部材１０１から突出せず、連なる面を形成する。
【００３９】
これにより、シール部材１０５の変形量を予め設定した最適な状態で変形させることができるようになり、外装部材１０１とレンズ鏡筒１０２との間を最適な状態で気密させることができるようになる。また、シール部材１０５が必要以上に変形力を受けることがないため、シール部材１０５を必要以上に変形させてシール部材１０５が発生させる外装部材１０１あるいはレンズ鏡筒１０２に対する変形力そのものを防ぐことができるようになる。
【００４０】
そして、レンズ鏡筒１０２の外周部分で、このレンズ鏡筒１０２を押さえ部材１０４（第１の押さえ部材１２４，第２の押さえ部材１３４）を用いて外装部材１０１に取り付ける構造となっている。したがって、従来の如くフランジ部分で外装部材に取り付ける構造のときフランジ部分の変形が生じるものと異なり、レンズ鏡筒１０２の外周部分に直接押さえ部材１０４が係合して、レンズ鏡筒１０２を外装部材１０１に取り付けることができるようになる。これにより、レンズ鏡筒１０２の変形を抑えることができ、内部に収容したレンズ１０３の位置関係を不変とし、光学性能を維持できるようになる。
【００４１】
また、上記構成によれば、外装部材１０１とレンズ鏡筒１０２との気密をとる組み立て時には、２つの押さえ部材１２４，１３４と、シール部材１０５は、外装部材１０１の前面（物体側）から取り付ける構成であるため、組み立て作業をおこないやすい。また、外装部材１０１の前面から取り付けるため、部品の取り付け忘れを防止できるとともに、取り付け後の交換も容易におこなうことができる。特に、経年変化したシール部材１０５の交換は、２つの押さえ部材１２４，１３４を取り外すだけで容易におこなうことができ、これを外装部材１０１を分解することなく、外装部材１０１の前面側の操作で簡単におこなうことができる。同様に、レンズ鏡筒１０２の交換についても第２の押さえ部材１３４を取り外すだけで容易におこなうことができる。
【００４２】
上述した実施の形態では、第１の押さえ部材１２４に形成する傾斜面１２４ａを４５度傾く平面で構成したがこれに限らず、外装部材１０１の鍔部１１１の前面１１１ｂと、レンズ鏡筒１０２の外周面のいずれにも接する２方向の力を発生させる角度であれば任意の傾斜角度とすることができる。そして、押さえ部材１２４，１３４でシール部材１０５を変形させて外装部材１０１とレンズ鏡筒１０２との間の気密をとることができるが、シール部材１０５を設定した変形量だけ押しつぶすことができる。このため、シール部材１０５が不必要に押しつぶされてレンズ鏡筒１０２や外装部材１０１を変形させる力を生じさせることがないため、撮像装置１００の光学性能を低下させることを防ぎ、光学性能を維持できるようになる。
【００４３】
（実施の形態２）
図６は、この発明の撮像装置の実施の形態２による気密構造を示す拡大断面図である。この構造において、実施の形態１とは、シール部材１０５が発生する押圧力の方向が異なる。具体的には、外装部材１０１には、光軸方向に所定長さの突起部１０１ｄが形成されており、所定径の内周面（第２面部）１０１ｄａが開口形成されている。レンズ鏡筒１０２には、突起部１０１ｄの外周に係合する突起部１０２ｅ、および突起部１０１ｄの先端１０１ｄｂに接する溝部１０２ｆを有している。
【００４４】
そして、外装部材１０１に背面側からレンズ鏡筒１０２を取り付けた状態で、これら外装部材１０１の開口部１０１ａと、レンズ鏡筒１０２との間には、実施の形態１同様に、嵌合部１０１ａａが形成される。この嵌合部１０１ａａには、シール部材１０５が挿入される。この後、第１の押さえ部材１２４と、第２の押さえ部材１３４がそれぞれ取り付けられる。
【００４５】
ここで、第１の押さえ部材１２４は、実施の形態１と傾斜面１２４ａの方向が異なり、レンズ鏡筒１０２の段部（第１面部）１０２ｇ、および外装部材１０１の内周面（第２面部）１０１ｄａの方向に向いている。ここで、レンズ鏡筒１０２の段部（第１面部）１０２ｇと、外装部材１０１の内周面（第２面部）１０１ｄａとは略直交する面とされている。したがって、シール部材１０５は、レンズ鏡筒１０２の段部（第１面部）１０２ｇ、および外装部材１０１の内周面１０１ｄａにそれぞれ接する。
【００４６】
第１の押さえ部材１２４の凹溝１２４ｂは、内周側に形成されており、レンズ鏡筒１０２に突出形成された凸部１０２ｈに係合自在であり、凹溝１２４ｂが凸部１０２ｈに係合することにより、第１の押さえ部材１２４を回り止めし、シール部材１０５をレンズ鏡筒の段部（第１面部）１０２ｇ側に面状に押しつける力だけを発生させる。
【００４７】
そして、外装部材１０１の前面側から、嵌合部１０１ａａの部分には、第２の押さえ部材１３４が取り付けられる。第２の押さえ部材１３４は、ネジ溝１３４ａ，１０２ｂを螺合させて回転させながらレンズ鏡筒１０２に取り付けられる。この際、第２の押さえ部材１３４の前面２箇所（上下位置）に設けられた係合溝１３４ｂに治具を係合させ、治具を回転させることにより、第２の押さえ部材１３４のネジ溝１３４ａがレンズ鏡筒１０２のネジ溝１０２ｂに螺合する。
【００４８】
この第２の押さえ部材１３４は、ねじ込み回転させながら、外装部材１０１に取り付けられるが、このねじ込みにより第１の押さえ部材１２４を介してシール部材１０５を奥方に押し込む。この際、第２の押さえ部材１３４の背面１３４ｃが第１の押さえ部材１２４の前面１２４ｃを擦りながら回転する。そして、第２の押さえ部材１３４による押さえ力が加わる第１の押さえ部材１２４は、凹溝１２４ｂが外装部材１０１の凸部１１１ｃに係合した状態でシール部材１０５を段部（第１面部）１０２ｇ側に押しつける。これにより、第１の押さえ部材１２４は、回転しないため、シール部材１０５に対して捻り等の回転する力を与えることがなく、シール部材１０５全体に対して均一な押しつけ力を発生させることができる。
【００４９】
レンズ鏡筒１０２は、溝部１０２ｆが外装部材１０１の突起部１０１ｄの先端部１０１ｄｂに接する位置まで前面側に移動し、位置決めされ、図示しないネジにより、レンズ鏡筒１０２と外装部材１０１を固定する。
【００５０】
そして、第２の押さえ部材１３４に設けられたネジ溝１３４ａは、レンズ鏡筒１０２のネジ溝１０２ｂを介して、このレンズ鏡筒１０２を前面（物体側）に移動させて第１の押さえ部材１２４が外装部材１０１に取り付けられたとき、この傾斜面１２４ａと、レンズ鏡筒の段部（第１面部）１０２ｇと、外装部材１０１の内周面１０１ｄａとの間に生じる収容空間Ａにシール部材１０５が位置する。レンズ鏡筒１０２は、ネジ溝１０２ｂの端部に第２の押さえ部材１３４の係合を制限する所定量だけ大径に形成された制限部１０２ｄを有する。この制限部１０２ｄにより、第２の押さえ部材１３４は、レンズ鏡筒１０２との係合を制限されることにより、シール部材１０５が受ける第１の押さえ部材１２４による押圧力を規定する。
【００５１】
そして、空間Ａのなかに、シール部材１０５が介在することで、ばらつきなく所定の押圧力にてシール部材１０５を押圧することができる。この収容空間Ａは、シール部材１０５の外径より小さく設定しておき、収容空間Ａ内でシール部材１０５を予め定めた所定量だけ変形させる容積に設定しておく。これにより、シール部材１０５を用いて外装部材１０１と、レンズ鏡筒１０２との間を設計通りに気密できるようになる。
【００５２】
そして、第１の押さえ部材１２４は、傾斜面１２４ａを有しており、傾斜面１２４ａにシール部材１０５が接して図中ｂ方向の押圧力を受ける。これにより、シール部材１０５は、レンズ鏡筒１０２の段部（第１面部）１０２ｇ（図中ｂ１）の方向と、外装部材１０１の内周面（第２面部）１０１ｄａ（図中ｂ２）の方向、の異なる２方向いずれに対しても押圧力を発生させる。このように、シール部材１０５は、これら外装部材１０１の内周面１０１ｄａ側、およびレンズ鏡筒１０２の段部（第１面部）１０２ｇの２点に接して、気密性をより向上できる。
【００５３】
この実施の形態２においても、第１の押さえ部材１２４には、シール部材１０５を収容する規定された収容空間Ａを有しているため、シール部材１０５は、第１の押さえ部材１２４の力を受けて所定量変形すると、それ以上の変形のための押圧力を受けることがない。この状態で、第２の押さえ部材１３４を用いてレンズ鏡筒１０２を外装部材１０１に取り付け完了させることができ、この取り付け完了の状態で、第２の押さえ部材１３４の前面は、図６に示すように、外装部材１０１から突出せず、連なる面を形成する。
【００５４】
このように、実施の形態２においても、シール部材１０５の変形量を予め設定した最適な状態で変形させることができるようになり、外装部材１０１とレンズ鏡筒１０２との間を最適な状態で気密させることができるようになる。また、シール部材１０５が必要以上に変形力を受けることがないため、シール部材１０５を必要以上に変形させてシール部材１０５が発生させる外装部材１０１あるいはレンズ鏡筒１０２に対する変形力そのものを防ぐことができるようになる。
【００５５】
以上説明した各実施の形態では、押さえ部材１０４を構成する第１の押さえ部材１２４と、第２の押さえ部材１３４はいずれも円環状の２つの部品で構成したが、互いに摺接する第１の押さえ部材１２４の前面１２４ｃと、第２の押さえ部材１３４の背面１３４ｃとが互いに係合した一つの部品として構成してもよい。この場合、第１の押さえ部材１２４に対して、第２の押さえ部材１３４が回転自在に係合する構成とすればよく、これにより組み立て時の部品点数を少なくでき、組み立てを簡単におこなえるようになる。
【産業上の利用可能性】
【００５６】
以上のように、本発明にかかる撮像装置は、外装部材とレンズ鏡筒との間を安定して気密できるから、防塵、防滴が必要な撮像装置に適しており、特に、屋外使用される撮像装置に適している。
【符号の説明】
【００５７】
１００  撮像装置
１０１  外装部材
１０１ａ  開口部
１０１ａａ  嵌合部
１０１ｄ  突起部
１０１ｄａ  内周面
１０１ｄｂ  先端部
１０２  レンズ鏡筒
１０２ａ  開口部
１０２ｂ  ネジ溝
１０２ｃ  外周部
１０２ｄ  制限部
１０２ｅ  突起部
１０２ｆ  溝部
１０２ｇ  段部（第１面部）
１０３  レンズ
１０４  押さえ部材
１０５  シール部材
１１１  鍔部
１１１ｃ  凸部
１１２  段部
１２４  第１の押さえ部材
１２４ａ  傾斜面
１２４ｂ  凹溝
１３４  第２の押さえ部材
１３４ａ  ネジ溝
１３４ｂ  係合溝
Ａ  収容空間
【図１】
2012118405.tif 000003
【図２】
2012118405.tif 000004
【図３】
2012118405.tif 000005
【図４】
2012118405.tif 000006
【図５】
2012118405.tif 000007
【図６】
2012118405.tif 000008
【図７】
2012118405.tif 000009